(57)【要約】【課題】簡単な構成で精度のよい水質検査を短時間で行うことが可能なコンパクトで扱いやすい水質検査装置を提供する。【解決手段】被検液の水質検査を行う水質検査装置であって、被検液が収容される測定容器４と、測定容器４に収容される被検液に浸漬させて被検液の水質検査を行う複数のセンサー１６，１７，１８，１５，１４と、測定容器４の内部を、それぞれ１つ以上のセンサーが挿入可能な複数の領域２５，２６に区画し、各領域２５，２６に収容される被検液同士を隔離する隔壁２１と、を備えている水質検査装置。【選択図】図３
2014228488.tif 000002
【特許請求の範囲】
【請求項１】
被検液の水質検査を行う水質検査装置であって、
前記被検液が収容される測定容器と、
前記測定容器に収容される前記被検液に浸漬させて前記被検液の水質検査を行う複数のセンサーと、
前記測定容器の内部を、それぞれ１つ以上の前記センサーが挿入可能な複数の領域に区画し、各領域に収容される被検液同士を隔離する隔壁と、
を備えている水質検査装置。
【請求項２】
前記複数のセンサーには、同一の領域に挿入して測定した場合に他のセンサーの測定結果に影響を与えるセンサーが含まれ、
前記隔壁は、前記他のセンサーの測定結果に影響を与えるセンサーが挿入される領域と前記他のセンサーが挿入される領域とを区画する請求項１に記載の水質検査装置。
【請求項３】
前記複数のセンサーには、内部液と前記被検液とを電気的に接続させる液絡部を有する比較電極を備えているセンサーと、前記液絡部から流出する成分によって前記被検液の組成が変化することにより測定結果に誤差を生ずる項目のセンサーが含まれる請求項１または２に記載の水質検査装置。
【請求項４】
前記比較電極を備えているセンサーとして、前記被検液のｐＨを測定するｐＨセンサーを備え、前記測定結果に誤差を生ずる項目のセンサーとして、前記被検液の導電率を測定する導電率セルを備えている請求項３に記載の水質検査装置。
【請求項５】
前記測定結果に誤差を生ずる項目のセンサーが挿入される第１の領域に収容される前記被検液の液面の最大高さが、前記比較電極を備えているセンサーが挿入される第２の領域に収容される前記被検液の液面の最大高さよりも高くなるように、前記測定容器の外壁および前記隔壁の高さが設計されている請求項３または４に記載の水質検査装置。
【請求項６】
前記隔壁の上端部には、前記第１の領域に収容される前記被検液をオーバーフローさせるための第１の溝が設けられている請求項５に記載の水質検査装置。
【請求項７】
前記測定容器の外壁の上端部には、前記第２の領域に収容される前記被検液をオーバーフローさせるための第２の溝が設けられている請求項５または６に記載の水質検査装置。
【発明の詳細な説明】
【技術分野】
【０００１】
本発明は、水質検査装置に関するものである。特に、ボイラや冷却塔などの循環水系を有する水処理設備や、河川、湖沼、ダムなどの環境水、工場の処理水、排水などの水質を測定するために、検査員が現場に携帯して使用するのに好適な水質検査装置に関する。
【背景技術】
【０００２】
水質検査においては、ｐＨ、イオン濃度、導電率（電気伝導率）、濁度、溶存酸素濃度、残留塩素濃度、水温などの複数の項目が測定される。これらの測定方法として、サンプリングした被検液を卓上用やハンディタイプのｐＨ計、イオン濃度計、導電率計などを用いて、それぞれの項目について測定する方法や、被検液の存在する現場で複数種類のセンサーを備えた検出器を被検液に浸漬し、複数の項目を同時に測定する方法などが知られている。
【０００３】
例えば、特許文献１には、複数の測定チャンネルを備え、ｐＨやその他のイオン濃度を同時に測定することができる卓上用のイオン濃度計が開示されている。また、特許文献２には、水質測定用の複数のセンサーを備えた浸漬型のセンサー本体と、当該センサー本体に防水タイプの電気ケーブルを介して電気的に接続された計器本体と、を備えた水質分析装置が開示されている。
【先行技術文献】
【特許文献】
【０００４】
【特許文献１】特開平６−８８８０３号公報
【特許文献２】特開２０１０−６０３７６号公報
【発明の概要】
【発明が解決しようとする課題】
【０００５】
水質測定用のセンサーには、被検液に浸漬した電極間の電位差を測定するｐＨセンサー、イオンセンサー、ＯＲＰ（酸化還元電位）センサーなどや、被検液に浸漬した電極間に流れる電流を測定する酸化還元電流測定センサー（溶存酸素濃度や残留塩素濃度などの測定に用いられる。）、導電率セルなど、測定項目に応じた各種の電気化学センサーが存在する。同一容器内に複数の電気化学センサーが混在すると、それらが液回路を形成して互いに干渉しあったり、基準電位が相違したりすることにより、測定に影響が生じることがある。そのため、それらの測定を同時に行うと、測定結果に誤差が生じやすい。
【０００６】
また、ｐＨセンサー、イオンセンサー、ＯＲＰセンサーなどの電位差を測定するセンサーの比較電極には、液絡部を介して内部液と被検液とを電気的に接続させるものがある。このようなセンサーが浸漬された被検液を測定する場合、液絡部から流出する内部液によって被検液の組成が時間とともに変化することに起因して、測定結果に誤差を生ずる項目がある。この問題は、導電率の測定において特に顕著であるが、酸化還元電流の測定やイオン濃度の測定においても、測定対象成分と内部液の成分との関係によっては問題となる場合がある。
【０００７】
特許文献１では、複数の測定チャンネルに接続された各々の比較電極の発生電位の相違や出力インピーダンスの相違等が他のチャンネルに影響することを防止するため、スイッチ手段により各チャンネルの比較電極接続用の入力端子を相互に分離または接続するようにし、複数のチャンネルについて同時測定を可能としている。
しかしながら、特許文献１の方法では、内部液の流出による測定結果への影響を防止することはできないという問題がある。
【０００８】
特許文献２では、内部液の流出による測定結果への影響を防止するため、溶存酸素計として、作用電極、対電極および基準電極の三電極からなる電極機構と、作用電極の基準電極に対する電位が一定に保たれるように対電極の電位を制御するポテンシオスタット回路とを具備し、作用電極と対電極との間に流れる電流量を測定することによって、対象液の溶存酸素量を測定する溶存酸素計を用い、ポテンシオスタット回路が、基準電極の電位を当該ポテンシオスタット回路の接地電位に保つとともに、作用電極を接地電位よりも低い電位に保持するようにしている。
【０００９】
しかしながら、特許文献２の方法では、特殊な制御が必要となり、回路設計が複雑化する。特許文献２の方法を用いずに、内部液を流出する比較電極をそれ以外のセンサーから遠ざけるようにすることも考えられるが、装置が大型化するため、被検液の存在する現場を巡回する検査員が携帯して使用する装置に適用するには不向きである。また、測定時間を短縮して、内部液の影響が出る前に測定を終わらせるなどの方法も考えられるが、この場合は、センサーが十分に応答するまで待てないために測定精度が低下するおそれがある。
【００１０】
また、同一容器内に複数のセンサーを混在させた場合に、それらが液回路を形成して互いに干渉しあうという問題については、それぞれのセンサーの測定を時間をあけて順番に行うという方法も考えられる。しかしながら、その場合も、センサーを１つずつ順番に動作させるなどの処理が必要となり、装置が複雑化し、測定時間も長くなる。
【００１１】
本発明は、上記事情に鑑みてなされたものであって、簡単な構成で精度のよい水質検査を短時間で行うことが可能なコンパクトで扱いやすい水質検査装置を提供することを課題とする。
【課題を解決するための手段】
【００１２】
上記の課題を達成するために、本発明は、以下の構成を採用した。
［１］  被検液の水質検査を行う水質検査装置であって、前記被検液が収容される測定容器と、前記測定容器に収容される前記被検液に浸漬させて前記被検液の水質検査を行う複数のセンサーと、前記測定容器の内部を、それぞれ１つ以上の前記センサーが挿入可能な複数の領域に区画し、各領域に収容される被検液同士を隔離する隔壁と、を備えている水質検査装置。
【００１３】
［２］  前記複数のセンサーには、同一の領域に挿入して測定した場合に他のセンサーの測定結果に影響を与えるセンサーが含まれ、前記隔壁は、前記他のセンサーの測定結果に影響を与えるセンサーが挿入される領域と前記他のセンサーが挿入される領域とを区画する［１］に記載の水質検査装置。
【００１４】
［３］  前記複数のセンサーには、内部液と前記被検液とを電気的に接続させる液絡部を有する比較電極を備えているセンサーと、前記液絡部から流出する成分によって前記被検液の組成が変化することにより測定結果に誤差を生ずる項目のセンサーが含まれる［１］または［２］に記載の水質検査装置。
【００１５】
［４］  前記比較電極を備えているセンサーとして、前記被検液のｐＨを測定するｐＨセンサーを備え、前記測定結果に誤差を生ずる項目のセンサーとして、前記被検液の導電率を測定する導電率セルを備えている［３］に記載の水質検査装置。
【００１６】
［５］  前記測定結果に誤差を生ずる項目のセンサーが挿入される第１の領域に収容される前記被検液の液面の最大高さが、前記比較電極を備えているセンサーが挿入される第２の領域に収容される前記被検液の液面の最大高さよりも高くなるように、前記測定容器の外壁および前記隔壁の高さが設計されている［３］または［４］に記載の水質検査装置。
【００１７】
なお、「液面の最大高さ」とは、測定容器を水平な設置面に設置したときに、被検液の液面がとり得る設置面からの最大の高さを意味する。具体的には、測定容器で被検液をいっぱいに掬い取って水平な設置面に設置したときの液面の設置面からの高さを意味する。
【００１８】
［６］  前記隔壁の上端部には、前記第１の領域に収容される前記被検液をオーバーフローさせるための第１の溝が設けられている［５］に記載の水質検査装置。
【００１９】
［７］  前記測定容器の外壁の上端部には、前記第２の領域に収容される前記被検液をオーバーフローさせるための第２の溝が設けられている［５］または［６］に記載の水質検査装置。
【発明の効果】
【００２０】
本発明によれば、簡単な構成で精度のよい水質検査を短時間で行うことが可能なコンパクトで扱いやすい水質検査装置を提供することができる。
【図面の簡単な説明】
【００２１】
【図１】本発明の一実施形態に係る水質検査装置の外観斜視図である。
【図２】図１においてセンサーユニットを上部に開いた状態を示す図である。
【図３】センサーユニットと測定容器をセンサーユニット側から透視した図である。
【図４】センサーユニットと測定容器の側断面図である。
【発明を実施するための形態】
【００２２】
＜水質検査装置の構成＞
以下、図１ないし図４を用いて本発明の一実施形態に係る水質検査装置１を説明する。
【００２３】
図１および図２に示すように、水質検査装置１は、装置本体２と、センサーユニット３と、測定容器４と、を備えている。測定容器４は、被検液を収容するための容器である。センサーユニット３は、支持面３ａ上に複数のセンサーを支持し、複数のセンサーを測定容器４に収容される被検液に浸漬させて被検液の水質検査を行う。センサーユニット３は図示しないヒンジ部を介して装置本体２に接続されている。
【００２４】
図２および図３に示すように、支持面３ａ上には、ガラス電極１０と、第１のイオン電極１１と、第２のイオン電極１２と、比較電極１３と、複合センサー１５と、温度センサー１４と、が支持されている。
【００２５】
ガラス電極１０と比較電極１３によって、ｐＨセンサー１６が構成されている。第１のイオン電極１１と比較電極１３によって、第１のイオンセンサー１７が構成されている。第２のイオン電極１２と比較電極１３によって、第２のイオンセンサー１８が構成されている。
【００２６】
ｐＨセンサー１６は、ガラス電極１０と比較電極１３との間の電位差を測定することにより、被検液のｐＨを測定する。第１のイオンセンサー１７および第２のイオンセンサー１８は、それぞれ第１のイオン電極１１および第２のイオン電極１２と比較電極１３との間の電位差を測定することにより、被検液中に含まれる特定イオンのイオン濃度を測定する。
【００２７】
比較電極１３は、内部液を被検液に接触させる液絡部１３ａを有する。内部液は、例えば、高濃度（３．３ｍｏｌ／Ｌ）の塩化カリウム水溶液からなる。比較電極１３は、液絡部１３ａを介して内部液と被検液とが電気的に接続するようになっており、内部液が被検液中にわずかずつ流出している。
【００２８】
複合センサー１５には、図示しない導電率セルと、残留塩素濃度センサーと、が配置されている。導電率セルは、交流電極式の導電率センサーである。残留塩素濃度センサーは、例えば、作用極に金を用い、対極に銀を用いたポーラログラフ式の残留塩素濃度センサーである。
【００２９】
導電率セルは、複数の金属電極間に交流電圧を印加し、電極間に流れる電流を測定することにより、被検液の導電率を測定する。残留塩素濃度センサーは、作用極と対極との間に流れる電流を測定することにより、被検液中の残留塩素濃度を測定する。
【００３０】
導電率セルおよび残留塩素濃度センサーによって測定する電流値は、溶液中に存在するイオンの種類やその濃度によって変化する。したがって、被検液の導電率および残留塩素濃度の測定は、比較電極１３の液絡部１３ａから流出する内部液によって被検液の組成が変化することにより、その結果に誤差を生ずる。
【００３１】
図２および図３に示すように、測定容器４には、隔壁２１が設けられている。隔壁２１は、測定容器４の内部を、それぞれ１つ以上のセンサーが挿入可能な複数の領域に区画し、各領域に収容される被検液同士を隔離する。
【００３２】
隔壁２１は、例えば、比較電極１３の液絡部１３ａから流出する内部液によって被検液の組成が変化することにより、測定結果に誤差を生ずる項目のセンサーである導電率セルおよび残留塩素濃度センサーが挿入される第１の領域２５と、比較電極１３との間の電位差を測定する（比較電極１３を備えているセンサーである）ｐＨセンサー１６、第１のイオンセンサー１７および第２のイオンセンサー１８が挿入される第２の領域２６とを区画する。
【００３３】
温度センサー１４は、例えば、第１の領域２５に挿入される。ｐＨセンサー１６や導電率セルは温度特性を有するが、温度変化が測定結果に与える影響は導電率セルのほうが大きい。よって、温度センサー１４を第１の領域２５に挿入し、導電率セルの近傍の温度を測定することにより、正確な導電率の測定が可能となる。
【００３４】
図２および図４に示すように、隔壁２１の上端部には、第１の領域２５に流入した被検液をオーバーフローさせるための第１の溝２２が設けられている。測定容器４の外壁の上端部には、第２の領域２６に流入した被検液をオーバーフローさせるための第２の溝２３が設けられている。溝２２，２３の深さは、各センサーの測定において十分な液量が確保されるように、各センサーの被検液への侵入深さなどに応じて適宜設計される。
【００３５】
測定容器４においては、第１の領域２５に収容される被検液の液面の最大高さが第２の領域２６に収容される被検液の液面の最大高さよりも高くなるように、測定容器４の外壁および隔壁２１の高さが設計されている。ここで、「液面の最大高さ」とは、測定容器を水平な設置面に設置したときに、被検液の液面がとり得る設置面からの最大の高さを意味する。具体的には、測定容器４で被検液をいっぱいに掬い取って水平な設置面に設置したときの液面の設置面からの高さを意味する。
【００３６】
本実施形態の場合、第１の溝２２の深さｄ１は第２の溝２３の深さｄ２よりも浅くなるように設計されている。そのため、第１の領域２５に収容される被検液の液面の高さは、第２の領域２６に収容される被検液の液面の高さよりも高くなる。よって、センサー挿入時に第２の領域２６から溢れた被検液が第１の領域２５に流入することが抑制される。第２の領域２６には、比較電極１３から流出した内部液を含む被検液が収容されるが、この被検液が第１の領域２５に流入しにくくなるため、第１の領域２５における導電率の測定が精度よく行えるようになる。
【００３７】
＜水質検査方法＞
上述した水質検査装置１は、例えば、次のようにして使用される。
【００３８】
まず、測定容器４の取っ手２０を持って被検液を掬い取り、測定容器４の各領域２５，２６に被検液を充填する。
【００３９】
次に、測定容器４を装置本体２に設置する。そして、ヒンジ部を介してセンサーユニット３を回転させて測定容器４の上部に蓋をするととともに、センサーユニット３の各センサーをそれぞれ対応する測定容器４内の領域２５，２６の被検液に浸漬させる。
【００４０】
次に、センサー１６，１７，１８，１５，１４によって被検液のｐＨ，イオン濃度、導電率、残留塩素濃度、温度をそれぞれ測定する。各項目の測定は、同時に行ってもよく、それぞれの項目を時間をあけて１つずつ順番に行ってもよい。また、複数項目を同時に測定した後、それ以外の項目を時間をあけて１つずつ順番に行ってもよい。
【００４１】
本実施形態の場合、例えば、第２の領域２６では、ｐＨとイオン濃度の測定を同時に行うが、第１の領域２５では、導電率の測定を先に行い、その後残留塩素濃度の測定を行う。こうすることで、残留塩素濃度の測定において生じる酸化還元反応が、導電率の測定に影響を与えることを抑制することができる。
【００４２】
各センサー１６，１７，１８，１５，１４の測定結果は、装置本体２に内蔵された図示略の記憶装置に記憶される。測定結果は、装置本体２に接続された図示略の表示機器に表示させて確認することも可能である。
【００４３】
以上説明した本実施形態の水質検査装置１によれば、以下のような効果が得られる。
【００４４】
（１）測定容器４の内部が隔壁２１によって複数の領域２５，２６に区画されている。そのため、各領域２５，２６に挿入されるセンサー同士が被検液を介して液回路を形成し、互いに干渉しあうことを抑制することができる。
【００４５】
（２）液絡部１３ａを有する比較電極１３が、導電率セルや残留塩素濃度センサーとは異なる領域に区画されている。そのため、内部液による測定誤差が大きい導電率の測定や残留塩素濃度の測定を精度よく行うことができる。
【００４６】
（３）第１の領域２５に収容される被検液の液面の最大高さが第２の領域２６に収容される被検液の液面の最大高さよりも高くなるように、測定容器４の外壁および隔壁２１の高さが設計されている。そのため、センサー挿入時に第２の領域２６から溢れた被検液が第１の領域２５に流入することが抑制される。第２の領域２６に収容される被検液には、比較電極１３から内部液が流出するが、この被検液が第１の領域２５に流入しにくくなるため、第１の領域２５における導電率の測定が精度よく行えるようになる。
【００４７】
（４）隔壁２１の上端部や測定容器４の外壁の上端部には、被検液をオーバーフローさせるための溝２２，２３が設けられている。そのため、測定時の液面の高さを所望の高さに制御しやすい。
【００４８】
（５）温度センサー１４は、導電率セルや残留塩素濃度センサーと同じ第１の領域２５に挿入される。そのため、温度特性の大きいこれらの測定項目において精度の高い測定が可能となる。
【００４９】
＜変形例１＞
上記の実施形態では、隔壁２１によって測定容器４の内部を２つの領域に区画した。しかしながら、隔壁２１によって区画される領域の数はこれに限らない。例えば、上記の実施形態では、導電率セルと残留塩素濃度センサーを同一領域に区画したが、これらを別々の領域に区画してもよい。残留塩素濃度の測定においては、酸化還元反応によって被検液の導電率が若干変化する。そのため、上記の実施形態では、導電率の測定と残留塩素濃度の測定を順番に行ったが、導電率セルと残留塩素濃度センサーを別の領域に区画することで、導電率の測定と残留塩素濃度の測定を精度を落とさずに同時に行うことができる。
【００５０】
＜変形例２＞
上記の実施形態では、ｐＨセンサー１６とイオンセンサー１７，１８は、１つの比較電極１３との間でそれぞれ電位差を測定するものとして例示した。しかしながら、測定対象のイオンによっては、比較電極１３との間で電位差を測定することができず、別の比較電極を用いらなければならない場合もある。この場合、基準電位やインピーダンスの相違により、同一領域に区画して測定すると誤差を生じることがある。このような場合には、異なる比較電極を備えたイオンセンサーは別々の領域に区画するとよい。
【００５１】
＜変形例３＞
上記の実施形態では、センサーユニット３に搭載される複数のセンサーとして、ｐＨセンサー１６、イオンセンサー１７，１８、導電率セル、残留塩素濃度センサーを例示した。しかしながら、センサーユニット３に搭載可能なセンサーはこれに限定されない。例えば、センサーユニット３には、被検液の酸化還元電位（ＯＲＰ）を測定するＯＲＰセンサーを加えてもよい。この場合、ＯＲＰセンサーは、ｐＨセンサー１６やイオンセンサー１７，１８と同じ第２の領域２６に挿入されることが好ましい。また、センサーユニット３には、溶存酸素（ＤＯ）の量を測定するＤＯセンサーを加えてもよい。この場合、ＤＯセンサーは、導電率セルや残留塩素濃度センサーと同じ第１の領域２５に挿入されることが好ましい。第１の領域２５には、導電率セルや酸化還元電流測定センサーなどが配置でき、酸化還元電流センサーとしては、ポーラログラフ式やガルバニ式などのセンサーが採用可能である。酸化還元電流測定センサーの具体例として、上述した残留塩素濃度センサーやＤＯセンサーなどが採用されうる。
【００５２】
＜変形例４＞
上記の実施形態では、隔壁２１や測定容器４の外壁に、余分な被検液をオーバーフローさせるための溝２２，２３を設け、第１の領域２５に収容される被検液の液面が、第２の領域２６に収容される被検液の液面よりも高い位置に配置されるようにした。これは、内部液を含む被検液が、導電率セルなどが設置される第１の領域２５に流入することを防止するためであるが、このような考え方は、測定容器４の内部を３以上の領域に区画した場合でも同様に適用することができる。例えば、内部液の影響を受けやすいセンサーが配置される領域ほど被検液の液面の高さが高い位置に配置されるように、隔壁２１や測定容器４の外壁に設けられる溝の深さを調整することができる。
【００５３】
＜変形例５＞
上記の実施形態では、各領域２５，２６に収容される被検液の液面の高さを、測定容器４の外壁および隔壁２１に設けられた溝２２，２３によって制御した。しかしながら、液面の高さを制御する方法はこれに限られない。例えば、測定容器４の外壁の高さが先端側（上記の実施形態では、例えば、取っ手２０が設けられた側）から後端側にかけて低くなるように、外壁および隔壁２１の上端部を設置面２ａに対して傾斜するように形成することで、同様の効果を得ることができる。
【００５４】
以上、本発明の好適な実施の形態について説明したが、本発明は上記実施形態及び変形例に限られるものではなく、当該発明の要旨を逸脱しない範囲で種々の変更が可能である。
【産業上の利用可能性】
【００５５】
本発明の水質検査装置は、ボイラや冷却塔などの循環水系を有する水処理設備や、河川、湖沼、ダムなどの環境水、工場の処理水、排水などの水質を検査するための水質検査装置に広く適用可能である。
【符号の説明】
【００５６】
１…水質検査装置、２…装置本体、３…センサーユニット、４…測定容器、１３…比較電極、１３ａ…液絡部、１４…温度センサー、１５…複合センサー、１６…ｐＨセンサー、１７…第１のイオンセンサー、１８…第２のイオンセンサー、２１…隔壁、２２…第１の溝、２３…第２の溝、２５…第１の領域、２６…第２の領域
【図１】
2014228488.tif 000003
【図２】
2014228488.tif 000004
【図３】
2014228488.tif 000005
【図４】
2014228488.tif 000006